(57)【要約】【課題】  本発明は、洗濯機のクラッチ装置を提供する。【解決手段】  本発明の洗濯機のクラッチ装置は、パルセータに回転動力を伝達する洗濯軸と、該洗濯軸の外側に洗濯軸と二重軸構造で配置されて、洗濯槽に回転動力を伝達する脱水軸と、一端が洗濯軸に固定され、他端が脱水軸に固定され、洗濯軸の回転によって洗濯軸及び脱水軸のいずれか一方に密着されると、洗濯軸の回転力を脱水軸に伝達するスパイラルスプリングと、で構成されることによって、全体的なクラッチ構造を単純化し、また、洗濯軸または脱水軸には、スパイラルスプリングが伸張または圧縮するときに摩擦力を発生させる摩擦部材を備えることによって、スパイラルスプリングが密着される洗濯軸及び脱水軸の摩耗を減らし、效率的に動力を伝達する。【選択図】      図２
2006110327.tif 000002
【特許請求の範囲】
【請求項１】
パルセータに回転動力を伝達する洗濯軸と、
前記洗濯軸の外側に洗濯軸と二重軸構造で配置されて、洗濯槽に回転動力を伝達する脱水軸と、
一端が前記洗濯軸に固定され、他端が前記脱水軸に固定され、前記洗濯軸の回転によって前記洗濯軸及び脱水軸のいずれか一方に密着されると、前記洗濯軸の回転力を前記脱水軸に伝達するスパイラルスプリングと、
から構成されたことを特徴とする洗濯機のクラッチ装置。
【請求項２】
前記洗濯軸、脱水軸及びスパイラルスプリングの中で少なくとも一つには、前記スパイラルスプリングが伸張及び圧縮されるときに摩擦力を発生させる摩擦部材が備えられたことを特徴とする請求項１に記載の洗濯機のクラッチ装置。
【請求項３】
前記摩擦部材は、前記脱水軸の内面において前記スパイラルスプリングが伸張して摩擦する箇所に付着されることを特徴とする請求項２に記載の洗濯機のクラッチ装置。
【請求項４】
前記摩擦部材は、前記洗濯軸の外面において前記スパイラルスプリングが圧縮して摩擦する箇所に付着されることを特徴とする請求項２に記載の洗濯機のクラッチ装置。
【請求項５】
前記スパイラルスプリングは、前記摩擦部材に固定されることを特徴とする請求項２に記載の洗濯機のクラッチ装置。
【請求項６】
パルセータに回転動力を伝達する洗濯軸と、
前記洗濯軸の外側に洗濯軸と二重軸構造で配置されて、洗濯槽に回転動力を伝達する脱水軸と、
前記洗濯軸と脱水軸のいずれか一側に一端が固定され、前記洗濯軸の回転によって伸張または圧縮するスパイラルスプリングと、
前記洗濯軸と脱水軸との間に中空軸構造で備えられ、前記洗濯軸と脱水軸に固定されないスパイラルスプリングの他端が固定されて、前記スパイラルスプリングが伸張または圧縮して密着されると、前記洗濯軸の回転力を前記脱水軸に伝達するスプリング固定部と、
前記スプリング固定部と前記スパイラルスプリングが固定された洗濯軸または脱水軸との間に備えられて摩擦力を発生させる摩擦部材と、
から構成されたことを特徴とする洗濯機のクラッチ装置。
【請求項７】
前記スパイラルスプリングの一端は、前記洗濯軸に固定され、他端は、前記スプリング固定部の内周面に固定され、前記摩擦部材は、前記スプリング固定部の外周面または前記脱水軸の内周面のいずれか一側に固定されることを特徴とする請求項６に記載の洗濯機のクラッチ装置。
【請求項８】
前記スパイラルスプリングの一端は、前記脱水軸に固定され、他端は、前記スプリング固定部の外周面に固定され、前記摩擦部材は、前記スプリング固定部の内周面または前記洗濯軸の外周面のいずれか一側に固定されることを特徴とする請求項６に記載の洗濯機のクラッチ装置。
【請求項９】
パルセータに回転動力を伝達する洗濯軸と、
前記洗濯軸の外側に洗濯軸と二重軸構造で配置されて、洗濯槽に回転動力を伝達する脱水軸と、
前記パルセータと洗濯軸とからなる第１のセットと、前記脱水軸からなる第２のセットとの間に連結されて、第１または第２のセットがいずれか一方に一定回転数以上回転すると、第１または第２のセットから第２または第１のセットに回転力が伝達されるようにするクラッチ連結手段と、
前記クラッチ連結手段が動力を伝達するときに摩擦力を発生させるように、前記洗濯軸、脱水軸及びクラッチ連結手段の中で少なくとも一つに備えられる摩擦部材と、
からなることを特徴とする洗濯機のクラッチ装置。
【請求項１０】
前記クラッチ連結手段は、コイルスプリングからなることを特徴とする請求項９に記載の洗濯機のクラッチ装置。
【発明の詳細な説明】
【技術分野】
【０００１】
本発明は、洗濯機のクラッチ装置に関し、特に、洗濯軸と脱水軸との間に固定連結されるスパイラルスプリングを用いて、駆動モーターから脱水軸に伝達される回転力を断続する、単純な構成の洗濯機のクラッチ装置に関する。
【背景技術】
【０００２】
図１は、従来の洗濯機に適用されるクラッチ装置の主要部を示す断面図である。
従来の洗濯機のクラッチ装置は、図１に示すように、モーター(図示せず)とベルト(図示せず）で連結されて回転するプーリ５５を備える。このプーリ５５は、内部軸６０と直接連結され、内部軸６０の外周縁に中空の外部軸６１が設けられる。また、内部軸６０は、上端の減速部材６２を介して洗濯軸６４と直接連結され、洗濯軸６４の上端にパルセータ５４が設置される。また、外部軸６１は、減速部材６２を取り囲むブレーキドラム６３と直接連結され、ブレーキドラム６３は、脱水軸６５と直接連結され、脱水軸６５は、貯水槽５２内の洗濯槽５３の下端に結合される。
【０００３】
ブレーキドラム６３は、外周面にブレーキバンド７１が結合され、ブレーキバンド７１の自由端は、下部ケース５０の外部に設置されたブレーキレバー７０と連結される。また、ブレーキレバー７０と連動するクラッチレバー８０が備えられ、クラッチレバー８０によって拘束されるクラッチ８１が、プーリ５５の上部に設置される。
クラッチ８１は、内部にクラッチスプリング８２が設けられ、クラッチスプリング８２の下端は、内部軸６０に結合されたクラッチブロック８３の外周面に結合される。
【０００４】
このように構成された従来のクラッチ装置は、脱水時にブレーキレバー７０が引かれると、ブレーキドラム６３の拘束が解除されると同時に、クラッチレバー８０が引かれ、この過程で、クラッチレバー８０によって拘束されたクラッチ８１が緩みながら、クラッチスプリング８２がクラッチブロック８３と外部軸６１とを連結させることになる。これによって、内、外部軸６０，６１が共に回転し、これで、洗濯槽５３が高速で回転しながら脱水が遂行される。
【０００５】
洗濯時にモーターの正・逆回転でプーリ５５が回転すると、内部軸６０も共に正・逆回転する。このときに、減速部材６２によって洗濯軸６４が減速された状態でパルセータ５４を正・逆回転させて、回転水流を発生させる。
【０００６】
また、脱水時に洗濯水が排水されるときには、モーターの回転でワイヤーが引かれてブレーキレバー７０とクラッチレバー８０が引かれながらブレーキドラム６３とクラッチ８１の拘束が解除される。この状態で、モーターの駆動でプーリ５５が高速回転すると、クラッチ８１内部に設置されたクラッチスプリングによって内、外部軸６０，６１が共に回転し、ブレーキバンド７１による拘束から解除されたブレーキドラム６３と洗濯軸６４と脱水軸６５とが共に高速回転する。このときに、洗濯槽５３が高速回転すると、洗濯物が遠心力によって脱水される。
【０００７】
しかしながら、上記した従来の洗濯機のクラッチ装置は、ブレーキレバー７０及びクラッチレバー８０を始めとして、ブレーキドラム６３、ブレーキバンド７１、クラッチ８１などによって動力切換がなされるように構成されているため、全体的なクラッチ作動構造が複雑で、部品数が多いために高い製作コストがかかり、特に、ブレーキ作動などによって騒音発生も増加する問題点があった。
【発明の開示】
【発明が解決しようとする課題】
【０００８】
本発明は、上記事情に鑑みて、全体的なクラッチ構造を単純化し、製造コストを節減しうる洗濯機のクラッチ装置を提供することを目的とする。
本発明の他の目的は、脱水行程時に、スプリングと脱水軸及び洗濯軸との摩擦による摩耗及び騒音・振動を減らすとともに、動力伝達の効率を増大させる摩擦部材が備えられた洗濯機のクラッチ装置を提供することにある。
【課題を解決するための手段】
【０００９】
上記目的を達成するために、本発明の洗濯機のクラッチ装置は、パルセータに回転動力を伝達する洗濯軸と、前記洗濯軸の外側に洗濯軸と二重軸構造で配置されて、洗濯槽に回転動力を伝達する脱水軸と、一端が前記洗濯軸に固定され、他端が前記脱水軸に固定され、前記洗濯軸の回転によって前記洗濯軸及び脱水軸のいずれか一方に密着されると、前記洗濯軸の回転力を前記脱水軸に伝達するスパイラルスプリングと、から構成されたことを特徴とする。
【００１０】
また、上記目的を達成するために、本発明による洗濯機のクラッチ装置は、パルセータに回転動力を伝達する洗濯軸と、前記洗濯軸の外側に洗濯軸と二重軸構造で配置されて、洗濯槽に回転動力を伝達する脱水軸と、前記洗濯軸と脱水軸のいずれか一側に一端が固定され、前記洗濯軸の回転によって伸張または圧縮するスパイラルスプリングと、前記洗濯軸と脱水軸との間に中空軸構造で備えられ、前記洗濯軸と脱水軸に固定されないスパイラルスプリングの他端が固定されて、前記スパイラルスプリングが伸張または圧縮して密着されると、前記洗濯軸の回転力を前記脱水軸に伝達するスプリング固定部と、前記スプリング固定部と前記スパイラルスプリングが固定された洗濯軸または脱水軸との間に備えられて摩擦力を発生させる摩擦部材と、から構成されたことを特徴とする。
【００１１】
また、上記目的を達成するために、本発明による洗濯機のクラッチ装置は、パルセータに回転動力を伝達する洗濯軸と、前記洗濯軸の外側に洗濯軸と二重軸構造で配置されて、洗濯槽に回転動力を伝達する脱水軸と、前記パルセータと洗濯軸とからなる第１のセットと、前記脱水軸からなる第２のセットとの間に連結されて、第１または第２のセットがいずれか一方に一定回転数以上回転すると、第１または第２のセットから第２または第１のセットに回転力が伝達されるようにするクラッチ連結手段と、前記クラッチ連結手段が動力を伝達するときに摩擦力を発生させるように、前記洗濯軸、脱水軸及びクラッチ連結手段の中で少なくとも一つに備えられる摩擦部材と、からなることを特徴とする。
【発明の効果】
【００１２】
本発明による洗濯機のクラッチ装置は、洗濯軸と脱水軸との間に、脱水軸に回転力を伝達するスパイラルスプリングを備えるため、全体的なクラッチ構造を単純化し、製作コストを節減する効果が得られる。
【発明を実施するための最良の形態】
【００１３】
以下、添付図面を参照しつつ、本発明の好ましい実施の形態について説明する。
図２は、本発明の第１の実施形態によるクラッチ装置が備えられた洗濯機の主要部を示す切欠断面図である。
本発明の第１の実施形態による洗濯機のクラッチ装置は、図２に示すように、洗濯水が貯留する貯水槽１２と、貯水槽１２内に回転可能に設置されて、洗濯物の洗い・すすぎ・脱水が遂行される洗濯槽１４と、洗濯槽１４内の床中央のボス部１７に装着されて正・逆回転しながら洗濯水流を形成し、水流摩擦力で洗濯物を洗濯するパルセータ１６と、洗濯槽１４及びパルセータ１６の回転作動のための脱水軸２２及び洗濯軸２４に動力を提供する駆動モーター２６と、で構成される。
【００１４】
ここで、脱水軸２２は、洗濯軸２４が挿入されて二重軸構造をなすように、中空構造に形成され、洗濯槽１４と連結固定されて、脱水作動の際に駆動モーター２６の回転力が伝達されて洗濯槽１４を回転させるように構成される。
【００１５】
洗濯軸２４は、脱水軸２２の内部を挿通し、上端が、パルセータ１６に固定されるパルセータブッシュ１８に連結固定され、下端が駆動モーター２６に連結されて、駆動モーター２６の回転力が伝達されてパルセータ１６を正・逆回転させるように構成される。
一方の洗濯軸２４と他方の洗濯軸２４との間には、駆動モーター２６からパルセータ１６に伝達される回転力を減速させるように、遊星歯車からなるギアトレイン２５が配設される。
【００１６】
本発明の第１の実施形態によるクラッチ装置は、洗濯軸２４が一方向に複数回回転すると、洗濯軸２４及び脱水軸２２のいずれか一方に密着されて、他方の洗濯軸２４の回転力を脱水軸２２に伝達するスパイラルスプリング３６を備える。
このスパイラルスプリング３６が固定された洗濯軸２４の外面には、スパイラルスプリング３６が圧縮されて洗濯軸２４に直接密着されるのを防止するように、摩擦する箇所に洗濯軸摩擦部材３４が備えられるが、該洗濯軸摩擦部材３４は、洗濯軸２４の外面に付着される。
【００１７】
また、スパイラルスプリング３６が固定された脱水軸２２の内面には、スパイラルスプリング３６が伸張して脱水軸２２に直接密着されるのを防止するように、摩擦する箇所に脱水軸摩擦部材３２が備えられるが、該脱水軸摩擦部材３２は、脱水軸２２の内面に付着される。
ここで、スパイラルスプリング３６は、洗濯軸２４の周りに装着され、耐久性及び弾性力の大きい板部材で構成されることが好ましい。
【００１８】
また、スパイラルスプリング３６の内側端は、洗濯軸２４の外面に付着される摩擦部材３４の環状溝部３４ａに固定され、外側端は、脱水軸２２の内面に付着される摩擦部材３２の環状溝部３２ａに固定されるため、スパイラルスプリング３６を洗濯軸２４及び脱水軸２２に固定するための追加費用を減らすことができる。
【００１９】
次に、上記のように構成された本発明の第１の実施形態による洗濯機のクラッチ装置の動作について説明する。
図３ないし図８は、本発明の第１の実施形態によるクラッチ装置を示す図であって、図３は、中立状態の縦断面図、図４は、中立状態の横断面図、図５は、洗濯軸が時計回り方向に回転した状態の縦断面図、図６は、洗濯軸が時計回り方向に回転した状態の横断面図、図７は、洗濯軸が反時計回り方向に回転した状態の縦断面図、図８は、洗濯軸が反時計回り方向に回転した状態の横断面図である。
洗濯機が停止状態のときには、図３及び図４に示すように、スパイラルスプリング３６が圧縮も伸張もしない。
【００２０】
この状態で、洗い行程時には、通常、パルセータ１６によって撹はん洗濯を遂行するため、駆動モーター２６によって洗濯軸２４が正回転・逆回転を繰り返し、これによって、パルセータ１６も正回転・逆回転を繰り返しながら撹はん洗濯を遂行することになる。
ここで、洗濯軸２４と脱水軸２２とは、スパイラルスプリング３６で連結されているところ、洗濯軸２４が正方向に一定回転数以上回転すると、図５及び図６に示すように、スパイラルスプリング３６は、最大伸張状態となって、脱水軸２２の内面に配置された摩擦部材３２に密着される。
【００２１】
一方、洗濯軸２４が逆方向に一定回転数以上回転すると、図７及び図８に示すように、スパイラルスプリング３６は、最大圧縮状態となって、洗濯軸２２の外面に配置された摩擦部材３４に密着される。
スパイラルスプリング３６の最大伸張状態及び最大圧縮状態では、洗濯軸２４と脱水軸２２がスパイラルスプリング３６によって一体に固定され、洗濯軸２４の回転力がそのままスパイラルスプリング３６を介して脱水軸２２に伝達されるため、洗濯槽１４がパルセータ１６と共に回転するようになる。
【００２２】
したがって、スパイラルスプリング３６が最大伸張状態または最大圧縮状態とならない範囲、つまり、洗濯軸２４の回転力が脱水軸２２に伝達されないような範囲まで洗濯軸２４を正回転または逆回転させながら撹はん洗濯を遂行することが好ましい。
ここで、パルセータ１６が正・逆回転しながら撹はん洗濯を遂行するときに、スパイラルスプリング３６が高い弾性力をもつため、パルセータ１６からの衝撃を吸収することができ、より滑らかなパルセータ１６の正逆の交互回転が可能になり、騒音低減及び駆動力節減が図られる。
【００２３】
一方、上記のようにして洗いまたはすすぎ行程が終わると、脱水行程が開始され、このときに、洗濯軸２４をいずれか一方に継続して回転させると、スパイラルスプリング３６は、図４及び図５に示す最大伸張状態、または、図６及び図７に示す最大圧縮状態となり、スパイラルスプリング３６が、洗濯軸２４及び脱水軸２２の摩擦部材３４，３２のいずれか一側に完全に密着されて、洗濯軸２４と脱水軸２２とが固定される。
この場合に、洗濯軸２４の回転力はそのまま脱水軸２２を介して洗濯槽１４に伝達され、これによって、洗濯槽１４の高速回転による正常の脱水行程が行われる。
【００２４】
図９は、本発明の第２の実施形態によるクラッチ装置が備えられた洗濯機の主要部を示す切欠断面図である。
本発明の第２の実施形態による洗濯機のクラッチ装置は、図９に示すように、スパイラルスプリング３６を板部材の代わりにコイル３７で構成した以外は、本発明の第１の実施形態によるクラッチ装置と構成及び作動が同一なので、同一の部分には同一の参照符号を付し、その詳細は省かれる。
【００２５】
図１０は、本発明の第３の実施形態によるクラッチ装置が備えられた洗濯機の主要部を示す切欠断面図であり、図１１は、本発明の第３の実施形態によるクラッチ装置の横断面図である。
本発明の第３の実施形態による洗濯機のクラッチ装置は、図１０及び図１１に示すように、本発明の第１の実施形態の構成要素である洗濯軸２４、脱水軸２２、スパイラルスプリング３６、摩擦部材３２に加えて、洗濯軸２４と脱水軸２２との間にスプリング固定部３８が設けられる。
【００２６】
スパイラルスプリング３６の内側端は、洗濯軸２４の外周面に形成された環状溝部２４ａに固定され、洗濯軸２４の回転によって圧縮または伸張する。
スプリング固定部３８は、洗濯軸２４と脱水軸２２との間に中空軸構造で備えられ、且つスパイラルスプリング３６の外側端が、スプリング固定部３８の内周面に形成された環状溝部３８ａに固定される。
【００２７】
摩擦部材３２は、スプリング固定部３８の外周面と脱水軸２２の内周面との間に摩擦するように設けられる。ここで、摩擦部材３２は、スプリング固定部３８と摩擦する面が、スプリング固定部３８に固定されるが、摩擦部材３２がスプリング固定部３８の外周面または脱水軸２２の内周面のいずれか一側に固定されると、洗濯機のクラッチ装置の組立がより容易になる。
【００２８】
次に、上記のように構成された本発明の第３の実施形態による洗濯機のクラッチ装置の動作について説明する。
洗い行程時に、通常、パルセータ１６による撹はん洗濯を遂行するため、駆動モーター２６によって洗濯軸２４が正回転・逆回転を繰り返し、これによって、パルセータ１６も正回転・逆回転を繰り返しながら撹はん洗濯を遂行することになる。
【００２９】
上述したように、洗濯軸２４とスプリング固定部３８とは、スパイラルスプリング３６で連結され、且つスプリング固定部３８と脱水軸２２とは摩擦部材３２で連結されていて、洗濯軸２４が正方向に一定回転数以上回転すると、スパイラルスプリング３６は、最大伸張状態となり、逆方向に一定回転数以上回転すると、スパイラルスプリング３６は、最大圧縮状態となる。
【００３０】
ここで、洗濯軸２４が最大伸張状態と最大圧縮状態との間で回転して、パルセータ１６が正・逆回転しながら撹はん洗濯を遂行するときには、スプリング固定部３８に固定された摩擦部材３２が、脱水軸２２との摩擦力によってこの脱水軸２２に固定され、スプリング固定部３８は、洗濯軸２４と一体に回転し、これによって、脱水軸２２内部で、スパイラルスプリング３６は圧縮及び伸張する。
【００３１】
一方、上記のようにして洗いまたはすすぎ行程が終わると、脱水行程が開始され、このときに、洗濯軸２４をいずれか一方に継続して回転させると、スパイラルスプリング３６は最大伸張状態または最大圧縮状態となる。こうなると、脱水軸２２が、洗濯軸２４及びスパイラルスプリング３６と一体回転するスプリング固定部３８の外周面に固定される摩擦部材３２によって、洗濯軸２４と一体に回転するため、この洗濯軸２４の回転力がそのまま脱水軸２２に伝達されて洗濯槽１４も一緒に回転し、正常の脱水作動がなされる。
【００３２】
ここで、洗濯軸２４及び脱水軸２２が共に回転する瞬間には、スプリング固定部３８に固定された摩擦部材３２と脱水軸２２との間でスリップが起こり、かつ、摩擦部材３２の変形が起こる。したがって、スプリング固定部３８が脱水軸２２と直接摩擦することが防止されて耐久性が増大し、かつ、洗濯軸２４と脱水軸２２が共に回転する瞬間に生じる振動及び騒音が低減する。
【００３３】
図１２は、本発明の第４の実施形態によるクラッチ装置が備えられた洗濯機の主要部を示す切欠断面図であり、図１３は、本発明の第４の実施形態によるクラッチ装置の横断面図である。
本発明の第４の実施形態による洗濯機のクラッチ装置は、本発明の第１の実施形態の構成要素である洗濯軸２４、脱水軸２２、スパイラルスプリング３６、摩擦部材３４に加えて、洗濯軸２４と脱水軸２２との間にスプリング固定部３９が備えられる。
【００３４】
前記スパイラルスプリング３６の外側端は、脱水軸２２の内周面に形成された環状溝部２２ａに固定され、洗濯軸２４の回転によって伸張または圧縮される。
スプリング固定部３９は、洗濯軸２４と脱水軸２２との間に中空軸構造で備えられ、スパイラルスプリング３６の内側端は、スプリング固定部３９の外周面に形成された環状溝部３９ａに固定される。
【００３５】
摩擦部材３４は、スプリング固定部３９の内周面と洗濯軸２４の外周面との間に摩擦するように備えられる。ここで、摩擦部材３４は、スプリング固定部３９と摩擦する面が、スプリング固定部３９に固定されるが、摩擦部材３４がスプリング固定部３９の内周面または洗濯軸２４の内周面のいずれか一側に固定されると、洗濯機のクラッチ装置の組立がより容易になる。
【００３６】
次に、上記のように構成された本発明の第４の実施形態による洗濯機のクラッチ装置の動作について説明する。
洗い行程時に、通常、パルセータ１６による撹はん洗濯を遂行するため、駆動モーター２６によって洗濯軸２４が正回転・逆回転を繰り返し、これによって、パルセータ１６も正回転・逆回転を繰り返しながら撹はん洗濯を遂行することになる。
上述したように、洗濯軸２４とスプリング固定部３９とは、摩擦部材３４で連結され、スプリング固定部３９と脱水軸２２とはスパイラルスプリング３６で連結されていて、洗濯軸２４が正方向に一定回転数以上回転すると、スパイラルスプリング３６は、最大伸張状態となり、逆方向に一定回転数以上回転すると、スパイラルスプリング３６は、最大圧縮状態となる。
【００３７】
ここで、洗濯軸２４が最大伸張状態と最大圧縮状態との間で回転して、パルセータ１６が正・逆回転しながら撹はん洗濯を遂行するときには、スプリング固定部３９に固定された摩擦部材３４が、洗濯軸２４との摩擦力によってこの洗濯軸２４に固定され、スプリング固定部３９は、洗濯軸２４と一体に回転し、これによって、脱水軸２２内部で、スパイラルスプリング３６は圧縮及び伸張する。
【００３８】
一方、上記のようにして洗いまたはすすぎ行程が終わると、脱水行程が開始され、このときに、洗濯軸２４をいずれか一方に継続して回転させると、スパイラルスプリング３６は最大伸張状態または最大圧縮状態となる。こうなると、脱水軸２２が、洗濯軸２４及びスパイラルスプリング３６と一体回転するスプリング固定部３９の内周面に固定された摩擦部材３４によって、洗濯軸２４と一体に回転するため、この洗濯軸２４の回転力がそのまま脱水軸２２に伝達されて洗濯槽１４も一緒に回転し、正常の脱水作動がなされる。
【００３９】
ここで、洗濯軸２４及び脱水軸２２が共に回転する瞬間には、スプリング固定部３９に固定された摩擦部材３４と洗濯軸２４との間でスリップが起こり、かつ、摩擦部材３４の変形が起こる。したがって、スプリング固定部３９が洗濯軸２４と直接摩擦することが防止されて耐久性が増大し、かつ、洗濯軸２４と脱水軸２２が共に回転する瞬間に生じる振動及び騒音が低減する。
【００４０】
図１４は、本発明の第５の実施形態によるクラッチ装置が備えられた洗濯機の主要部を示す切欠断面図てある。
本発明の第５の実施形態による洗濯機のクラッチ装置は、図１５に示すように、洗濯軸２４と脱水軸２２との間に連結されて、洗濯軸２４が一方向に一定回転数以上回転すると、脱水軸２２に回転力を伝達するクラッチ連結弾性体を備えた以外は、本発明の第１の実施形態によるクラッチ装置と同一の構成を有するので、同一の部材には同一の符号を付し、その詳細な説明は省略する。
【００４１】
このクラッチ連結弾性体は、洗濯軸２４の周りに装着されるコイルスプリング４６で構成され、コイルスプリング４６の両端部が固定されるように、洗濯軸２４と脱水軸２２には弾性体装着リング４４，４２がそれぞれ設置される。
弾性体装着リング４４，４２は、円形リング構造で形成され、その内周面が洗濯軸２４及び脱水軸２２と相互に拘束されるように結合され、これら弾性体装着リング４４，４２の間には、これら装着リングの間隔が上下方向に一定に保たれるようにする間隔保持リング４３が設置される。
【００４２】
また、弾性体装着リング４４，４２及び間隔保持リング４３の外面には、コイルスプリング４６が圧縮及び伸張することによって摩擦するように摩擦部材４９を備え、ボス部１７の内面にも、コイルスプリング４６が摩擦する箇所に摩擦部材４８を備える。
次に、上記の通りに構成された本発明の第５の実施形態による洗濯機のクラッチ装置の動作について説明する。
【００４３】
洗濯作動時には、通常、パルセータ１６による撹はん洗濯を遂行するため、駆動モーター２６によって洗濯軸２４が正回転と逆回転を繰り返し、これによって、パルセータ１６も正回転と逆回転を繰り返しながら撹はん洗濯を遂行するようになる。
上述したように、洗濯軸２４と脱水軸２２とは、コイルスプリング４６を介して連結されているところ、洗濯軸２４が正方向に一定回転数以上回転すると、コイルスプリング４６は最大伸張状態となり、逆方向に一定回転数以上回転すると、コイルスプリング４６は最大圧縮状態となる。
【００４４】
ここで、パルセータ１６が正・逆回転しながら撹はん洗濯を遂行するときには、コイルスプリング４６が圧縮及び伸張しながら弾性体装着リング４４，４２及び間隔保持リング４３の外面と直接摩擦することが、摩擦部材４８，４９によって防止されるため、耐久性が向上し、かつ、振動及び騒音が低減する。
【００４５】
一方、上記のようにして洗いまたはすすぎ行程が終わると、脱水行程が開始され、洗濯軸２４をいずれか一方に継続して回転させると、コイルスプリング４０が伸張または圧縮しながら回転力がそのまま脱水軸２２に伝達されて洗濯槽１４も共に回転し、これで、正常の脱水作動がなされる。
【００４６】
本実施例において、洗濯軸２２と脱水軸２２との結合力が、摩擦部材４８，４９によってより増大するため、動力伝達の効率が向上する。
【００４７】
以上の如く、本発明の第１の実施形態または第２の実施形態による洗濯機のクラッチ装置は、洗濯軸及び脱水軸とそれぞれ摩擦し、洗濯軸から脱水軸に回転力を伝達するスパイラルスプリングを備えるため、全体的なクラッチ構造を単純化し、製作コストを節減する効果が得られる。
【００４８】
また、本発明の第１または第２の実施形態による洗濯機のクラッチ装置は、摩擦部材を備えるため、脱水行程時にスパイラルスプリングと脱水軸及び洗濯軸との摩擦による摩耗を減らし、騒音及び振動の発生を低減し、かつ、動力伝達の効率が向上する効果が得られる。
【００４９】
また、本発明の第３の実施形態または第４の実施形態による洗濯機のクラッチ装置は、スパイラルスプリングの一側が固定される中空軸のスプリング固定部を備え、スプリング固定部と摩擦部材との間に発生する摩擦力を極大化するため、洗濯軸及び脱水軸が一体に駆動する瞬間に生じる構成要素の摩耗、騒音及び振動を效果的に減らすことが可能になる。
【００５０】
また、本発明の第５の実施形態による洗濯機のクラッチ装置は、弾性体装着リング及び間隔保持リングの外面とコイルスプリングとの間に摩擦部材４９を備え、弾性体装着リング及び間隔保持リングの外面が直接密着して摩擦されるのを防止するため、耐久性の向上及び振動及び騒音の低減を図ることが可能になる。
【図面の簡単な説明】
【００５１】
【図１】従来の洗濯機のクラッチ装置を示す断面図である。
【図２】本発明の第１の実施形態によるクラッチ装置が備えられた洗濯機の主要部を示す切欠断面図である。
【図３】本発明の第１の実施形態によるクラッチ装置の中立状態を示す縦断面図である。
【図４】本発明の第１の実施形態によるクラッチ装置の中立状態を示す横断面図である。
【図５】本発明の第１の実施形態によるクラッチ装置で、洗濯軸が時計回り方向に回転した状態を示す縦断面図である。
【図６】本発明の第１の実施形態によるクラッチ装置で、洗濯軸が時計回り方向に回転した状態を示す横断面図である。
【図７】本発明の第１の実施形態によるクラッチ装置で、洗濯軸が反時計回り方向に回転した状態を示す縦断面図である。
【図８】本発明の第１の実施形態によるクラッチ装置で、洗濯軸が反時計回り方向に回転した状態を示す横断面図である。
【図９】本発明の第２の実施形態によるクラッチ装置が備えられた洗濯機の主要部を示す切欠断面図である。
【図１０】本発明の第３の実施形態によるクラッチ装置が備えられた洗濯機の主要部を示す切欠断面図である。
【図１１】本発明の第３の実施形態によるクラッチ装置を示す横断面図である。
【図１２】本発明の第４の実施形態によるクラッチ装置が備えられた洗濯機の主要部を示す切欠断面図である。
【図１３】本発明の第４の実施形態によるクラッチ装置を示す横断面図である。
【図１４】本発明の第５の実施形態によるクラッチ装置が備えられた洗濯機の主要部を示す切欠断面図である。
【符号の説明】
【００５２】
１２    貯水槽
１４    洗濯槽
１６    パルセータ
１７    ボス部
１８    パルセータブッシュ
２２    脱水軸
２４    洗濯軸
２５    ギアトレイン
２６    駆動モーター
３２    脱水軸摩擦部材
３２ａ、３４ａ    環状溝部
３４    洗濯軸摩擦部材
３６    スパイラルスプリング
３７    コイル
３８，３９    スプリング固定部
４２，４４    装着リング
４３    間隔保持リング
４６    コイルスプリング
４８    軸摩擦部材
４９    パルセータ摩擦部材
【図１】
2006110327.tif 000003
【図２】
2006110327.tif 000004
【図３】
2006110327.tif 000005
【図４】
2006110327.tif 000006
【図５】
2006110327.tif 000007
【図６】
2006110327.tif 000008
【図７】
2006110327.tif 000009
【図８】
2006110327.tif 000010
【図９】
2006110327.tif 000011
【図１０】
2006110327.tif 000012
【図１１】
2006110327.tif 000013
【図１２】
2006110327.tif 000014
【図１３】
2006110327.tif 000015
【図１４】
2006110327.tif 000016